(57)【要約】      （修正有）【課題】極めて簡単に施工でき、人件費を大幅に削減して施工コストを低減させることができ、更に太陽光発電フイルムは軽量であるので、押え金具を用いて支持強度が低い園芸用ハウスや架台の上に簡単に取付けることができる上、風雨による太陽光発電フイルムのバタツキを防止して確実に支持することができる太陽光発電フイルムの支持構造を提供する。【解決手段】水平板部２の両側に、断面略Ｆ形の押え部３を設け、この押え部３の下部水平片４の横幅を、上部水平片５より長く形成し、この開口部６の下部水平片４と、上部水平片５に、互いに対向して突起部７を設けて押え金具１を形成し、この押え部３の開口部６から、挿入した太陽光発電フイルム１８の端部を、上部水平片５からねじ込んだドリル付きねじ１２で固定したものである。      【選択図】図３
0003202699.tif 000002
【実用新案登録請求の範囲】
【請求項１】
水平板部の片側または両側に、断面略Ｆ形の押え部を設け、この押え部の下部水平片の横幅を、上部水平片より長く形成し、この開口部の下部水平片と、上部水平片に、互いに対向して突起部を設けて押え金具を形成し、この押え金具の上部水平片と下部水平片との開口部から、挿入した太陽光発電フイルムの端部を、上部水平片からねじ込んだドリル付きねじで固定したことを特徴とする太陽光発電フイルムの支持構造。
【請求項２】
下部水平片と、上部水平片との間隔が２〜５ｍｍに形成されていることを特徴とする請求項１記載の太陽光発電フイルムの支持構造。
【請求項３】
開口部の下部水平片と、上部水平片に設けられた突起部が断面半円形状に形成されていることを特徴とする請求項１記載の太陽光発電フイルムの支持構造。
【請求項４】
押え金具がアルミニウムで一体に押出し成形されていることを特徴とする請求項１記載の太陽光発電フイルムの支持構造。
【請求項５】
押え金具の水平板部が、園芸用ハウスの透明フイルムを止めるフイルム固定レール上または架台上に取付けられていることを特徴とする請求項１記載の太陽光発電フイルムの支持構造。
【考案の詳細な説明】
【技術分野】
【０００１】
本考案は、園芸用ハウスなどに取付ける太陽光発電フイルムの支持構造に関するものである。
【背景技術】
【０００２】
近年、二酸化炭素排出を削減するために、太陽光発電が普及し、空き地や農地、ビルや住宅の屋根などに太陽光発電パネルを取付けることが行なわれている。この太陽光発電パネルは重量が２０〜３０Ｋｇと重い問題があった。このためプラスチックフイルムを張った園芸用ハウスには太陽光発電パネルを取付けることができず、近年はフイルム状の軽量な太陽光発電フイルムが開発されている。これは軽量でハウスの補強工事をする必要がなく、可撓性があり巻き取りもでき運搬も容易な利点がある。
【０００３】
この太陽光発電フイルムを園芸用ハウスに取付けた構造としては、園芸用連棟ハウスの屋根の谷樋に隣接する西側裾部に、プラスチックフイルムの内側とアーチパイプとの間にシート型太陽光発電モジュール（太陽光発電フイルム）を設けた構造が提案されている（特許文献１）。しかしながらこの構造では、シート型太陽光発電モジュールがハウスを構成するプラスチックフイルムの内側に配置されており、発電効率が悪い上、既存の園芸用ハウスに取付けられない問題があった。
【０００４】
また発電素子を透光性シートで封止した太陽電池モジュールを、透明な外装フイルムで被覆し、その両端部にそれぞれ取付代を設けて太陽光発電体を構成し、この取付代に取付けた断面Ｕ字形の固着具を園芸用ハウスの支柱に取付けた構造（特許文献２）もある。この構造は両端を固着具で園芸用ハウスの支柱に取付けるので、ハウス被覆フイルムを張り替える時には、これだけを取り替えることができる。また太陽電池モジュールが外装フイルムで被覆されているので、外装フイルムに作用する張力が太陽電池モジュールには及ばず発電素子の損傷を防止することができる利点がある。
【０００５】
しかしながらこの構造は、両端を固着具で園芸用ハウスの支柱に取付けただけなので安定せず、風雨によるバタツキによって太陽電池モジュールが損傷、劣化する恐れがあった。
【先行技術文献】
【特許文献】
【０００６】
【特許文献１】特開２０１５−１００３０３
【特許文献２】特開２００１−２９１８８８
【考案の開示】
【考案が解決しようとする課題】
【０００７】
本考案は上記問題を改善し、押え金具を用いてドライバーで極めて簡単に施工でき、人件費を大幅に削減して施工コストを低減させることができる。更に押え金具は軽量で、しかも太陽光発電フイルムは巻き取れる程度に薄く、軽量であるので支持強度が低い園芸用ハウスのフイルム固定レールや架台の上に簡単に取付けることができ、しかも風雨による太陽光発電フイルムのバタツキを防止して確実に支持することができる支持構造を提供するものである。
【課題を解決するための手段】
【０００８】
本考案の請求項１記載の太陽光発電フイルムの支持構造は、水平板部の片側または両側に、断面略Ｆ形の押え部を設け、この押え部の下部水平片の横幅を、上部水平片より長く形成し、この開口部の下部水平片と、上部水平片に、互いに対向して突起部を設けて押え金具を形成し、この押え金具の上部水平片と下部水平片との開口部から、挿入した太陽光発電フイルムの端部を、上部水平片からねじ込んだドリル付きねじで固定したことを特徴とするものである。
【０００９】
本考案の請求項２記載の太陽光発電フイルムの支持構造は、請求項１において、下部水平片と、上部水平片との間隔が２〜５ｍｍに形成されていることを特徴とするものである。
【００１０】
本考案の請求項３記載の太陽光発電フイルムの支持構造は、請求項１において、開口部の下部水平片と、上部水平片に設けられた突起部が断面半円形状に形成されていることを特徴とするものである。
【００１１】
本考案の請求項４記載の太陽光発電フイルムの支持構造は、請求項１において、押え金具がアルミニウムで一体に押出し成形されていることを特徴とするものである。
【００１２】
本考案の請求項５記載の太陽光発電フイルムの支持構造は、請求項１において、押え金具の水平板部が、園芸用ハウスの透明フイルムを止めるフイルム固定レール上または架台上に取付けられていることを特徴とするものである。
【考案の効果】
【００１３】
本考案に係る請求項１記載の太陽光発電フイルムの支持構造によれば、太陽光発電フイルムの両側を支持する押え金具を用いているので、ドライバーだけで極めて簡単に施工でき、人件費を大幅に削減して施工コストを低減させることができる。また透明フイルムで作成した園芸用ハウスの場合は、強度が低いが、押え金具は軽量で、しかも太陽光発電フイルムは巻き取れる程度に薄く、軽量であるので十分に支持させることができる。更に開口部に対向して設けた突起部によりフイルム端部が波形に曲げられて抜けにくくなり、ねじ止め作業も容易である上、風雨によるバタツキを防止することができる。
【００１４】
また請求項２記載の太陽光発電フイルムの支持構造によれば、下部水平片と、上部水平片との間隔が２〜５ｍｍに形成され、更に開口部に突起部が形成されているので、薄いフイルム端部が抜けにくい。なお間隔が２ｍｍ未満ではフイルム端部が挿入しにくく、また５ｍｍを超えると抜け易くなるので、上記範囲に限定した。
【００１５】
また請求項３記載の太陽光発電フイルムの支持構造によれば、突起部が断面半円形状に形成されているので、フイルム端部の挿入が容易であると共に波形に曲げられて抜けにくくなる。
【００１６】
また請求項４記載の太陽光発電フイルムの支持構造によれば、押え金具がアルミニウムの押出し材で形成されているので軽量で且つ安価であり、強度が低い園芸用ハウスや架台に取付けることができる。
【００１７】
また請求項５記載の太陽光発電フイルムの支持構造によれば、押え金具の水平板部を、園芸用ハウスのフイルム固定レールや架台にドリル付きねじで取付けるので、確実に固定することができる。
【図面の簡単な説明】
【００１８】
【図１】本考案の実施の一形態による押え金具の断面図である。
【図２】図１の押え金具をフイルム固定レールに取付けて太陽光発電フイルムを支持した状態を示す断面図である。
【図３】図２の断面略Ｆ形の押え部にフイルム端部を挿入してドリル付きねじで固定した状態を拡大して示す断面図である。
【図４】園芸用ハウスの屋根に太陽光発電フイルムを取付けた状態の要部を示す斜視図である。
【図５】園芸用ハウスの屋根に太陽光発電フイルムを取付けた状態を示す斜視図である。
【図６】本考案の他の実施の形態による片側に断面略Ｆ形の押え部を設けた押え金具の断面図である。
【図７】本考案の異なる他の実施の形態による太陽光発電フイルムを架台に取付けた状態を示す斜視図である。
【図８】図７に示す太陽光発電フイルムの架台の取付け部分を拡大して示す断面図である。
【考案を実施するための最良の形態】
【００１９】
以下本考案の実施の一形態を図１ないし図５を参照して詳細に説明する。図において１は押え金具を示すもので、これは水平板部２の両側に、断面略Ｆ形の押え部３、３を設け、この押え部３の下部水平片４の横幅を、上部水平片５より長く形成し、この開口部６の下部水平片４と、上部水平片５に、互いに対向して断面半円形状の突起部７が形成されている。また下部水平片４と上部水平片５の間隔Ｄは２〜５ｍｍが好ましく、また水平板部２の横幅は例えば４５ｃｍに形成されている。この押え金具１は全体がアルミニウムで一体に押出し成形されている。
【００２０】
また図２において、園芸用ハウスを構成する屋根フレーム１０の上にこれと直交してフイルム固定レール１１が例えば６０ｃｍ間隔でドリル付きねじ１２で固定されている。このフイルム固定レール１１にフッ素樹脂フイルムなどの透明フイルム１４を張り渡して、内側に挿入し、波形の押えスプリング１５で押えて、園芸用ハウス１６を組立てる。
【００２１】
この園芸用ハウス１６のフイルム固定レール１１の上に、図１に示す押え金具１を載せて、水平板部２の中央にドライバーでドリル付きねじ１２をねじ込んでフイルム固定レール１１を通して屋根フレーム１０に固定する。次に図３に示すように太陽光発電フイルム１８のフイルム端部１８Ａを、断面略Ｆ形の押え部３の下部水平片４と上部水平片５の間の開口部６から挿入すると、突起部７によりフイルム端部１８Ａは波形に曲げられる。
【００２２】
この後、上部水平片５の上からドリル付きねじ１２でフイルム端部１８Ａを貫通して下部水平片４に固定する。このように片側のフイルム端部１８Ａを固定したら、反対側のフイルム端部１８Ｂを同様に固定する。以下順次、図４に示すように押え金具１を固定しながら太陽光発電フイルム１８を取付けて図５に示すように屋根全面に支持する。
【００２３】
従って、この押え金具１を用いた施工方法は、ドライバーでドリル付きねじ１２をねじ込むだけで極めて簡単に施工でき、従来の３分の１の作業者で施工でき、人件費を大幅に削減して施工コストを低減させることができる。また透明フイルム１４で作成した園芸用ハウス１６は、強度が低いが、押え金具１はアルミニウムの押出し材で形成されて軽量であり、しかも太陽光発電フイルム１８は巻き取れる２〜３ｍｍ程度と薄く、軽量なので園芸用ハウス１６に取付けても十分に支持させることができる。更に開口部６に対向して設けた突起部７によりフイルム端部１８Ａが波形に曲げられて抜けにくくなり、太陽光発電フイルム１８を確実に固定することができる。
【００２４】
図６は本考案の他の実施の形態を示すもので、これは水平板部２の片側に、断面略Ｆ形の押え部３を設け、この押え部３の下部水平片４の横幅を、上部水平片５より長く形成し、この開口部６の下部水平片４と、上部水平片５に、互いに対向して断面半円形状の突起部７を形成したものである。
【００２５】
これは隣接するフイルム固定レール１１に、断面略Ｆ形の押え部３を互いに対向して取付け、この間に太陽光発電フイルム１８を取付けるもので、園芸用ハウス１６の屋根の半分だけ覆って、採光を半分にすることができる。
【００２６】
なお上記説明では、園芸用ハウス１６の屋根の全面または半分に太陽光発電フイルム１８を設置した場合について示したが、南側の傾斜面にだけ取付ける場合など、その設置箇所は任意に選定することができる。また突起部７は断面半円形状のものについて示したが、断面三角形状などフイルム端部１８Ａを保持して、抜けにくくした構造であれば他の形状でも良い。
【００２７】
図７および図８は本考案の異なる他の実施の形態を示すもので、地面の上に高さの異なる複数本の支柱２０を立設し、この上端に横パイプ２１を取付け、更にこれと直交して複数本のチャンネル材２２を横方向に間隔をおいて傾斜して取付けて架台２３を作製する。この架台２３のチャンネル材２２の上に、押え金具１を載せて、水平板部２の中央をドリル付きねじ１２で固定する。次に太陽光発電フイルム１８のフイルム端部１８Ａ、１８Ｂを、押え部３の開口部６から挿入し、ドリル付きねじ１２で固定する。これは押え金具１の水平板部２の横幅が狭く形成され、左右の断面略Ｆ形の押え部３の間隔がチャンネル材２２に取付けるだけのスペースがあれば良い。
【００２８】
この架台２３に取付けた太陽光発電フイルム１８は、両端が押え金具１にドリル付きねじ１２で固定されているので、風雨によるバタツキを防止して確実に支持することができる。従って、この構造は従来の太陽光発電パネルのように重量が重くないので、架台２３の構造も簡素化でき、しかも太陽光発電フイルム１８の取付け作業も容易で、安価に設置することができる。
【符号の説明】
【００２９】
１    押え金具                                              
２    水平板部                                              
３    押え部                                                
４    下部水平片                                            
５    上部水平片                                            
６    開口部                                                
７    突起部                                                
１０  屋根フレーム                                          
１１  フイルム固定レール                                    
１２  ドリル付きねじ                                        
１４  透明フイルム                                          
１５  押えスプリング                                        
１６  園芸用ハウス                                          
１８  太陽光発電フイルム                                    
１８Ａ  フイルム端部                                        
２０  支柱                                                  
２１  横パイプ                                              
２２  チャンネル材                                          
２３  架台                                                  
【図１】
0003202699.tif 000003
【図２】
0003202699.tif 000004
【図３】
0003202699.tif 000005
【図４】
0003202699.tif 000006
【図５】
0003202699.tif 000007
【図６】
0003202699.tif 000008
【図７】
0003202699.tif 000009
【図８】
0003202699.tif 000010